(57)【要約】【課題】既設の鉄塔を改造することなく、そのアームに簡単に装着できる構造にすることで、強風が吹いても確実に横振れを抑制でき、鉄塔上で容易にかつ安全に装着する。【解決手段】鉄塔２のアーム３に取り付けている懸垂吊碍子装置６の懸垂部１１近くに、アーム３に着脱自在に取り付けるアングルホルダ４と、アングルホルダ４にその下方に突出するように取り付けた弾性部材５と、弾性部材５の下端に設けた当て板９と、から成り、この当て板９に、横振れする懸垂吊碍子装置６の架線金具７またはアークホーン８を当てることにより、その振れ幅を抑制するように構成した。【選択図】図１
2008262790.tif 000002
【特許請求の範囲】
【請求項１】
鉄塔（２）のアーム（３）に装着し、懸垂吊碍子装置（６）の横振れを抑制する装置であって、
前記アーム（３）に取り付けている懸垂吊碍子装置（６）の懸垂部（１１）近くに、該アーム（３）に着脱自在に取り付けるアングルホルダ（４）と、
前記アングルホルダ（４）にその下方に突出するように取り付けた弾性部材（５）と、
前記弾性部材（５）の下端に設けた当て板（９）と、から成り、
前記当て板（９）に、横振れする懸垂吊碍子装置（６）の架線金具（７）またはアークホーン（８）を当てることにより、その振れ幅を抑制するように構成した、ことを特徴とする懸垂吊碍子装置の横振れ抑制装置。
【請求項２】
鉄塔（２）のアーム（３）に装着し、懸垂吊碍子装置（６）の横振れを抑制する装置であって、
前記アーム（３）に取り付けている懸垂吊碍子装置（６）の懸垂部（１１）近くに、該アーム（３）に着脱自在に取り付ける２個のアングルホルダ（４）と、
各アングルホルダ（４）にその下方に突出するように取り付けた弾性部材（５）と、
両弾性部材（５）の下端に連結するように取り付けた当て板（９）と、から成り、
前記当て板（９）に、横振れする懸垂吊碍子装置（６）の架線金具（７）またはアークホーン（８）に当てることにより、その振れ幅を抑制するように構成した、ことを特徴とする懸垂吊碍子装置の横振れ抑制装置。
【請求項３】
前記弾性部材（５）はコイルばねである、ことを特徴とする請求項１又は２の懸垂吊碍子装置の横振れ抑制装置。
【請求項４】
前記弾性部材（５）は板ばね（１２）である、ことを特徴とする請求項１又は２の懸垂吊碍子装置の横振れ抑制装置。
【請求項５】
前記当て板（９）は可撓性を有する板材である、ことを特徴とする請求項１又は２の懸垂吊碍子装置の横振れ抑制装置。
【請求項６】
前記当て板（９）は弾力性を有する棒状部材である、ことを特徴とする請求項１又は２の懸垂吊碍子装置の横振れ抑制装置。
【請求項７】
前記アングルホルダ（４）は、前記アーム（３）を固定する下側ホルダ（４ａ）と上側ホルダ（４ｂ）とから成り、上下側ホルダ（４ａ，４ｂ）の一端をヒンジ（１３）で開閉自在に連結したものであり、該アーム（３）の上方から挟むように固定する、ことを特徴とする請求項１又は２の懸垂吊碍子装置の横振れ抑制装置。
【発明の詳細な説明】
【技術分野】
【０００１】
本発明は、強風等の影響により架空送電線を懸垂する懸垂吊碍子装置に横方向の力が加わった際に、この懸垂吊碍子装置の横振れを抑制して送電線の短絡事故等を防止する懸垂吊碍子装置の横振れ抑制装置に関する。
【背景技術】
【０００２】
懸垂吊碍子装置は、その架空送電線と共に強風の影響を受けると横振れが発生し、送電線の短絡事故等になるおそれがある。特に高圧送電線を懸垂する鉄塔は、海岸部や山間部のように強風を受けやすい地域に設置されていることが多いため、強風に対して何らかの対策を講じる必要がある。
【０００３】
そこで、従来よりこのような電線の横振れを防止又は抑制する技術、例えば懸垂吊碍子装置によって電線を吊り留める場合に使用する電線横振れ抑制装置に関しては、特許文献１の特開２００３−１３４６５０号公報「ウエイト付懸垂クランプ」に示すように、電線把持部に重錘を付設するように構成した装置が提案されている。
【特許文献１】特開２００３−１３４６５０号公報
【０００４】
特許文献２の特開２００４−４０８７０号公報「Ｖ吊懸垂装置」に示すように、懸垂吊碍子装置の碍子連をＶ吊状とした装置が提案されている。
【特許文献２】特開２００４−４０８７０号公報
【０００５】
また、特許文献３の特開平１１−２０５９７７号公報「架空送電線用地絡防止装置」に示すように、鉄塔アーム下辺の圧縮材の先端側と、当該圧縮材より下に位置する鉄塔の脚材との間に、ＦＲＰロッド又は有機絶縁碍子を斜めに渡して取り付け、これによってジャンパー線又は懸垂支持部の一定限度以上の横振れを制限した架空送電線用地絡防止装置が提案されている。
【特許文献３】特開平１１−２０５９７７号公報
【０００６】
更に、特許文献４の実開平５−５３０６０号公報「鉄塔における電線横振れ制限装置」に示すように、鉄塔に碍子を介して電線の横振れを制限するための遮へい材を設けた鉄塔における電線横振れ制限装置が提案されている。
【特許文献４】実開平５−５３０６０号公報
【発明の開示】
【発明が解決しようとする課題】
【０００７】
しかし、上述した特許文献１，２に示すような、電線把持部に重錘を付設するように構成した装置、懸垂吊碍子装置の碍子連をＶ吊状とした装置では、既設の鉄塔に十分な余裕、即ち離隔距離および鉄塔の耐荷重に耐えられるように、その鉄塔を改造する必要があるという問題を有していた。
【０００８】
特許文献３のような、鉄塔アームの先端側と鉄塔の主柱材との間に、ＦＲＰロッド等を斜めに渡して取り付けた構造のものは、その取付作業に２名以上の作業員が必要となり、かつ危険な取付作業になりやすいという問題を有していた。
【０００９】
また、特許文献４の絶縁材を介して遮蔽材を設置した「鉄塔における電線横振れ制限装置」は、衝撃により絶縁材の破損や塩害による絶縁性能が低下しやすいという問題を有していた。
【００１０】
本発明は、かかる問題点を解決するために創案されたものである。すなわち、本発明の目的は、既設の鉄塔を改造することなく、そのアームに簡単に装着できる構造にすることで、強風が吹いても確実に横振れを抑制でき、鉄塔上で容易にかつ安全に装着することができる懸垂吊碍子装置の横振れ抑制装置を提供することにある。
【課題を解決するための手段】
【００１１】
本発明によれば、鉄塔（２）のアーム（３）に装着し、懸垂吊碍子装置（６）の横振れを抑制する装置であって、前記アーム（３）に取り付けている懸垂吊碍子装置（６）の懸垂部（１１）近くに、該アーム（３）に着脱自在に取り付けるアングルホルダ（４）と、前記アングルホルダ（４）にその下方に突出するように取り付けた弾性部材（５）と、前記弾性部材（５）の下端に設けた当て板（９）と、から成り、前記当て板（９）に、横振れする懸垂吊碍子装置（６）の架線金具（７）またはアークホーン（８）を当てることにより、その振れ幅を抑制するように構成した、ことを特徴とする懸垂吊碍子装置の横振れ抑制装置が提供される。
例えば、前記アーム（３）に取り付けている懸垂吊碍子装置（６）の懸垂部（１１）近くに、該アーム（３）に着脱自在に取り付ける２個のアングルホルダ（４）と、各アングルホルダ（４）にその下方に突出するように取り付けた弾性部材（５）と、両弾性部材（５）の下端に連結するように取り付けた当て板（９）と、から成り、前記当て板（９）に、横振れする懸垂吊碍子装置（６）の架線金具（７）またはアークホーン（８）を当てることにより、その振れ幅を抑制するように構成した装置がある。
【００１２】
前記弾性部材（５）はコイルばね又は板ばね（１２）にすることができる。
前記当て板（９）は可撓性を有する板材又は弾力性を有する棒状部材にすることができる。
前記アングルホルダ（４）は、前記アーム（３）を固定する下側ホルダ（４ａ）と上側ホルダ（４ｂ）とから成り、上下側ホルダ（４ａ，４ｂ）の一端をヒンジ（１３）で開閉自在に連結したものであり、該アーム（３）の上方から挟むように固定する構成にすることができる。
【発明の効果】
【００１３】
上記構成の発明では、懸垂吊碍子装置（６）の架線金具（７）またはアークホーン（８）が当たる当て板（９）とコイルばね又は板ばねの弾性部材（５）とアングルホルダ（４）とから成る横振れ抑制装置（１）を懸垂吊碍子装置（６）の懸垂部（１１）近くに装着することにより、小さい装置でも懸垂吊碍子装置（６）の横振れを確実に抑制することができる。しかも、横振れ抑制装置（１）がコンパクトな装置であるために、既存の鉄塔（２）を改造することなく、１人の作業で迅速かつ安全に装着することができる。
【００１４】
可撓性を有する板材又は弾力性を有する棒状部材等の当て板（９）は、風で振れる懸垂吊碍子装置（６）の架線金具（７）またはアークホーン（８）が当たったときに、その衝撃をコイルばね又は板ばね（１２）等の弾性部材（５）と共に２段階で吸収することにより、懸垂吊碍子装置（６）への衝撃力を確実に減衰することができる。
【００１５】
また、アーム（３）に固定する上下側ホルダ（４ａ，４ｂ）の一端をヒンジ（１３）で開閉自在に連結したアングルホルダ（４）では、アーム（３）の上方から挟むように固定することにより、横振れ抑制装置（１）をアーム（３）に迅速かつ安全に装着することができる。
【発明を実施するための最良の形態】
【００１６】
本発明は、鉄塔のアームに取り付けている懸垂吊碍子装置の懸垂部近くに、アームに着脱自在に取り付けるアングルホルダと、アングルホルダにその下方に突出するように取り付けた弾性部材と、弾性部材の下端に設けた当て板とから成り、当て板に振れる懸垂吊碍子装置のアークホーンを当てることにより、その振れ幅を抑制するように構成した横振れ抑制装置である。
【実施例１】
【００１７】
以下、本発明の好ましい実施の形態を図面を参照して説明する。
図１は実施例１の懸垂吊碍子装置の横振れ抑制装置を示すものであり、（ａ）は正面図、（ｂ）は側面図、（ｃ）は底面図である。図２は横振れ抑制装置をアームに装着した状態を示す側面図である。図３は横振れ抑制装置をアームに装着した状態を示す底面図である。
実施例１の懸垂吊碍子装置の横振れ抑制装置１は、鉄塔２のアーム３に着脱自在に取り付けるアングルホルダ４と、アングルホルダ４にその下方に突出するように取り付けた弾性部材５と、懸垂吊碍子装置６の架線金具７またはアークホーン８が当たる当て板９とから成る装置である。図示例では、この横振れ抑制装置１の当て板９に架線金具７を当てる状態を示しているが、この当て板９にアークホーン８を当てて懸垂吊碍子装置６の振れ幅を抑制することができる。
【００１８】
アングルホルダ４は、鉄塔２のアーム３に取り付けている懸垂吊碍子装置６の近くに装着する部材である。アングルホルダ４は、例えば図１（ａ），（ｂ）に示すように、横断面が略Ｌ字状のアーム３を挟むように、後述する弾性部材５をその下面に取り付けた下側ホルダ４ａと、この下側ホルダ４ｂと略同じ形状になる上側ホルダ４ａとから成る。この上下側ホルダ４ａ，４ｂは、例えばボルト・ナット１０でこのアーム３を挟むように着脱自在に取り付ける。
【００１９】
このアングルホルダ４は、図２，３に示すように、アーム３に取り付けている懸垂吊碍子装置６の懸垂部１１近くに装着する。本発明の横振れ抑制装置１に、風等で横振れする懸垂吊碍子装置６の架線金具７またはアークホーン８部分が当たるようにするためである。アーム３に取り付けている懸垂吊碍子装置６から遠い位置に、本発明の横振れ抑制装置１を装着すると、振れる懸垂吊碍子装置６の碍子部分がこの横振れ抑制装置１が当たることになり、この碍子部分を破損するおそれがあるからである。また、懸垂吊碍子装置６の近くに装着することで、横振れ抑制装置１をコンパクにすることができる。
【００２０】
弾性部材５は、図１（ａ），（ｂ），図２に示すように、アングルホルダ４にその下方に突出するように取り付けたコイルばねである。例えばアングルホルダ４は、下側ホルダ４ａの下面にコイルばねを取り付けたときに、振れている懸垂吊碍子装置６の架線金具７またはアークホーン８が当たる程度の長さＬが望ましい。但し、この弾性部材５の長さＬは図示例に限定されず、懸垂吊碍子装置６の種類、即ち架線金具７またはアークホーン８の形状、寸法に合わせて決定される。
【００２１】
当て板９は、弾性部材５の下端に設けた部材であり、この当て板９に懸垂吊碍子装置６の架線金具７またはアークホーン８を当て、その振れを弾性部材５で吸収して、この懸垂吊碍子装置６の振れ幅を抑制する部材である。この当て板９は剛性を有する板材に限定されず、板ばねのような可撓性を有する板材を用いることも可能である。振れる架線金具７またはアークホーン８について、最初にこの当て板９でその衝撃力を吸収し、次に弾性部材５で吸収して衝撃力を分散し、懸垂吊碍子装置６の懸垂部１１への衝撃力を緩和する。
【００２２】
本発明の横振れ抑制装置１では、小さい装置でも懸垂吊碍子装置６の横振れを確実に抑制することができる。しかも、この横振れ抑制装置１がコンパクトな装置であるために、既存の鉄塔２を改造することなく、１人の作業で迅速かつ安全に装着することができる。
【００２３】
なお、図示例では、２個のアングルホルダ４それぞれに弾性部材５を取り付け、２本の弾性部材５の先端に１枚の当て板９を取り付けた構造のものを示している。しかし、１個のアングルホルダ４に２本又は１本の弾性部材５を取り付けた構造にすることも可能である。アーム３の形状又は懸垂吊碍子装置６の形状、寸法に応じて、アングルホルダ４、当て板９の形状を変更することができる。
【００２４】
図４は横振れ抑制装置の動作状態を示す側面図であり、（ａ）は懸垂吊碍子装置の静止状態、（ｂ）は懸垂吊碍子装置が小さく振れている状態、（ｃ）は懸垂吊碍子装置が大きく振れている状態である。
本発明の横振れ抑制装置１を懸垂吊碍子装置６の懸垂部１１近くに装着したので、風が吹いて懸垂吊碍子装置６の静止状態から（図４（ａ））、振れて傾斜した架線金具７またはアークホーン８が当て板９に当たり、弾性部材５を曲げる力が作用する。この弾性部材５の反発力で懸垂吊碍子装置６の横振れを抑制する（図４（ｂ））。
強風が吹いて懸垂吊碍子装置６が大きく振れたときにも、弾性部材５の反発力で懸垂吊碍子装置６の横振れを確実に抑制する（図４（ｃ））。
【００２５】
図５は当て板の変形例を示す側面図である。
当て板９は、上述した細長い板形状に限定されず、図示するように、略棒状の形状にすることも可能である。略棒状の形状の当て板９であれば、架線金具７またはアークホーン８が当たる際に衝撃力を分散しやすく、懸垂吊碍子装置６の懸垂部１１への衝撃力を緩和することができる。
【００２６】
図６は弾性部材の変形例を示す側面図である。
弾性部材５は、コイルばねに代えて板ばね１２にすることができる。このように、所定長の幅広の板ばね１２をアングルホルダ４の下面に取り付けたものであれば、上述したような当て板９を設けることなく、架線金具７またはアークホーン８を当てることができるので、部品点数を減少させることができる。
【実施例２】
【００２７】
図７は実施例２の懸垂吊碍子装置の横振れ抑制装置を示す正面図である。
実施例２の横振れ抑制装置１は、アングルホルダ４が、鉄塔２のアーム３を固定する下側ホルダ４ａと上側ホルダ４ｂとから成り、上下側ホルダ４ａ，４ｂの一端をヒンジ１３で開閉自在に連結したものである。このように、アーム３を固定する上下側ホルダ４ａ，４ｂの一端をヒンジ１３で開閉自在に連結したアングルホルダ４では、アーム３の上方から挟むように固定することにより、部品の落下がなく横振れ抑制装置１をアーム３に迅速かつ安全に装着することができる。
【００２８】
更に、アングルホルダ４は、当て板９を取り付けた弾性部材５を支持することができる構造であれば、実施例１又は実施例２の形状に限定されない。例えば、アングルホルダ４の上部の板材を曲折し、鉤状になった部分をアーム３に掛け止める構造にすることにより、横振れ抑制装置１をアーム３に迅速に装着することができる。
【００２９】
なお、本発明は、既設の鉄塔２を改造することなく、そのアーム３に簡単に装着できる構造にすることで、強風が吹いても確実に横振れを抑制でき、鉄塔２上で容易にかつ安全に装着できれば、上述した発明の実施の形態に限定されず、本発明の要旨を逸脱しない範囲で種々変更できることは勿論である。
【産業上の利用可能性】
【００３０】
本発明の懸垂吊碍子装置の横振れ抑制装置は、送電線鉄塔の懸垂吊碍子装置に利用することができる。
【図面の簡単な説明】
【００３１】
【図１】実施例１の懸垂吊碍子装置の横振れ抑制装置を示すものであり、（ａ）は正面図、（ｂ）は側面図、（ｃ）は底面図である。
【図２】横振れ抑制装置を鉄塔アームに装着した状態を示す側面図である。
【図３】横振れ抑制装置を鉄塔アームに装着した状態を示す底面図である。
【図４】横振れ抑制装置の動作状態を示す側面図であり、（ａ）は懸垂吊碍子装置の静止状態、（ｂ）は懸垂吊碍子装置が小さく振れている状態、（ｃ）は懸垂吊碍子装置が大きく振れている状態である。
【図５】当て板の変形例を示す側面図である。
【図６】弾性部材の変形例を示す側面図である。
【図７】実施例２の懸垂吊碍子装置の横振れ抑制装置を示す正面図である。
【符号の説明】
【００３２】
１  横振れ抑制装置
２  鉄塔
３  アーム
４  アングルホルダ
４ａ  下側ホルダ
４ｂ  上側ホルダ
５  弾性部材（コイルばね）
６  懸垂吊碍子装置
７  架線金具
８  アークホーン
９  当て板
１１  懸垂部
１２  板ばね
１３  ヒンジ
【図１】
2008262790.tif 000003
【図２】
2008262790.tif 000004
【図３】
2008262790.tif 000005
【図４】
2008262790.tif 000006
【図５】
2008262790.tif 000007
【図６】
2008262790.tif 000008
【図７】
2008262790.tif 000009